(57)【要約】  【課題】  トリミングパッドへの静電気印加によりヒューズ抵抗が切断されるのを防止する。  【解決手段】  トリミングパッド２３へ電圧または電流を供給してヒューズ抵抗２２を切断することによりＣＭＯＳ入力回路２１の入力レベルを切り替え可能なヒューズトリミング回路２０において、トリミングパッド２３とヒューズ抵抗２２間に、ＰチャネルＭＯＳトランジスタ２５を挿入接続し、トリミング時にＭＯＳトランジスタ２５をオン制御するようにしたので、トリミング時はトリミングパッド２３とヒューズ抵抗２２間を電気的に接続でき、トリミング時以外は制御パッド２６に制御信号を供給しなければトリミングパッド２３とヒューズ抵抗２２間を電気的に非接続とすることができる。また、ＭＯＳトランジスタ２５の寄生ダイオードは静電気保護用ダイオードとして機能する。【選択図】図１
2006073553.tif 000002
【特許請求の範囲】
【請求項１】
トリミングパッドへ電圧または電流を供給してヒューズ抵抗を切断することによりＣＭＯＳ入力回路の入力レベルを切り替え可能なヒューズトリミング回路において、
前記トリミングパッドからの電圧または電流をトリミング時にオンするＭＯＳトランジスタを介してヒューズ抵抗に供給するようにしたことを特徴とするヒューズトリミング回路。
【請求項２】
ＣＭＯＳ入力回路と、電圧または電流の印加により切断可能で、非切断の状態でＣＭＯＳ入力回路の入力端のレベルを接地レベルにプルダウンするヒューズ抵抗と、ヒューズ抵抗を切断するための電圧または電流が供給されるトリミングパッドと、ヒューズ抵抗が切断の状態でＣＭＯＳ入力回路の入力端のレベルを電源レベルにプルアップするＭＯＳトランジスタとを有するヒューズトリミング回路において、
前記トリミングパッドとヒューズ抵抗間に、オン／オフ制御可能なＭＯＳトランジスタを挿入接続し、トリミング時に前記ＭＯＳトランジスタをオン制御するようにしたことを特徴とするヒューズトリミング回路。
【発明の詳細な説明】
【技術分野】
【０００１】
本発明はヒューズトリミング回路に関する。
【背景技術】
【０００２】
半導体集積回路（ＩＣ）において、内部回路の出力精度を向上させるためにヒューズトリミング回路が用いられる（例えば、特許文献１を参照）。従来のヒューズトリミング回路について、図３を参照して説明する。ヒューズトリミング回路１０は、ＣＭＯＳ入力回路１１と、電圧または電流の印加により切断可能で、非切断の状態でＣＭＯＳ入力回路１１の入力端のレベルを接地レベルＧＮＤにプルダウンするヒューズ抵抗１２と、ヒューズ抵抗１２を切断するための電圧または電流が供給されるトリミングパッド１３と、ヒューズ抵抗１２が切断の状態でＣＭＯＳ入力回路１１の入力端のレベルを電源レベルＶＤＤにプルアップするＰチャネルＭＯＳトランジスタ１４と、静電気保護用のＮチャネルＭＯＳトランジスタ１５，１６とを有している。
【０００３】
ヒューズ抵抗１２は、ＣＭＯＳ入力回路１１の入力端と接地ラインＧＮＤ間に接続されている。トリミングパッド１３は、ＣＭＯＳ入力回路１１の入力端とヒューズ抵抗１２との接続点に接続されている。ＭＯＳトランジスタ１４は、ソースが電源ラインＶＤＤに、ドレインがＣＭＯＳ入力回路１１の入力端に、ゲートが接地ラインＧＮＤに接続されている。ＭＯＳトランジスタ１５は、ドレインが電源ラインＶＤＤに、ソースがＣＭＯＳ入力回路１１の入力端に、ゲートが接地ラインＧＮＤに接続されている。ＭＯＳトランジスタ１６は、ドレインがＣＭＯＳ入力回路１１の入力端に、ソースとゲートとが接地ラインＧＮＤに接続されている。
【０００４】
ヒューズトリミング回路１０において、トリミングが不必要な場合は、ヒューズ抵抗１２を切断しないので、ＣＭＯＳ入力回路１１の入力端が"Ｌ"レベル（ＧＮＤレベル）に固定される。トリミングが必要な場合は、トリミングパッド１３に所定の電圧または電流を供給することによりヒューズ抵抗１２が切断されるので、ＣＭＯＳ入力回路１１の入力端が"Ｈ"レベル（ＶＤＤレベル）に固定される。
【特許文献１】特開２０００−１３３７７８号公報（図２）
【発明の開示】
【発明が解決しようとする課題】
【０００５】
ところで、ヒューズトリミング回路を用いたＩＣは、例えば、携帯電話等の液晶表示部に用いられる場合、液晶パネル上にチップオンガラス（ＣＯＧ）やチップオンフィルム（ＣＯＦ）技術により搭載されることがある。そして、ＩＣ搭載後に液晶表示部に対して電源を供給した状態で静電気試験が行われることがある。このとき、ヒューズトリミング回路のトリミングパッドにも静電気が印加される虞がある。従来のヒューズトリミング回路１０では、トリミングパッド１３に外部から静電気が印加された場合、静電気保護用のＮチャネルＭＯＳトランジスタ１５，１６によりＣＭＯＳ入力回路１１の入力端のゲートは保護される。しかし、ヒューズ抵抗１２に対しては、ＭＯＳトランジスタ１６がある程度、静電気保護用回路として機能するが十分ではなく、ヒューズ抵抗１２にエネルギーが集中し、ヒューズ抵抗１２が切断される虞がある。
【０００６】
従って、本発明の目的は、静電気によりヒューズ抵抗が切断されるのを防止したヒューズトリミング回路を提供することである。
【課題を解決するための手段】
【０００７】
（１）本発明のヒューズトリミング回路は、トリミングパッドへ電圧または電流を供給してヒューズ抵抗を切断することによりＣＭＯＳ入力回路の入力レベルを切り替え可能なヒューズトリミング回路において、前記トリミングパッドからの電圧または電流をトリミング時にオンするＭＯＳトランジスタを介してヒューズ抵抗に供給するようにしたことを特徴とする。
（２）本発明のヒューズトリミング回路は、ＣＭＯＳ入力回路と、電圧または電流の印加により切断可能で、非切断の状態でＣＭＯＳ入力回路の入力端のレベルを接地レベルにプルダウンするヒューズ抵抗と、ヒューズ抵抗を切断するための電圧または電流が供給されるトリミングパッドと、ヒューズ抵抗が切断の状態でＣＭＯＳ入力回路の入力端のレベルを電源レベルにプルアップするＭＯＳトランジスタとを有するヒューズトリミング回路において、前記トリミングパッドとヒューズ抵抗間に、オン／オフ制御可能なＭＯＳトランジスタを挿入接続し、トリミング時に前記ＭＯＳトランジスタをオン制御するようにしたことを特徴とする。
【０００８】
上記手段によれば、トリミング時以外は、トリミングパッドとヒューズ抵抗間のＭＯＳトランジスタがオフしており、また、そのＭＯＳトランジスタの寄生ダイオードが静電気保護ダイオードとして機能するため、トリミングパッドに静電気が印加されても、ヒューズ抵抗に静電気が直接印加されることはない。
【発明の効果】
【０００９】
本発明によれば、ＩＣチップを直接、基板上に実装する場合やＩＣパッケージ後にトリミングする場合でも、静電気によるヒューズ抵抗の切断を防止できる。
【発明を実施するための最良の形態】
【００１０】
以下に、本発明の第１実施形態のヒューズトリミング回路２０について図１を参照して説明する。ヒューズトリミング回路２０は、ＣＭＯＳ入力回路２１と、電圧または電流の印加により切断可能で、非切断の状態でＣＭＯＳ入力回路２１の入力端のレベルを接地レベルＧＮＤにプルダウンするヒューズ抵抗２２と、ヒューズ抵抗２２を切断するための電圧または電流が供給されるトリミングパッド２３と、ヒューズ抵抗２２が切断の状態でＣＭＯＳ入力回路２１の入力端のレベルを電源レベルＶＤＤにプルアップするＰチャネルＭＯＳトランジスタ２４と、トリミングパッド２３とヒューズ抵抗２２間を電気的に接続／非接続するＰチャネルＭＯＳトランジスタ２５と、ＭＯＳトランジスタ２５をオン制御するための制御信号が供給される制御パッド２６と、ＭＯＳトランジスタ２５のゲートを電源レベルＶＤＤにプルアップする抵抗２７とを有している。
【００１１】
ヒューズ抵抗２２は、ＣＭＯＳ入力回路２１の入力端と接地ラインＧＮＤ間に接続されている。トリミングパッド２３は、ＣＭＯＳ入力回路２１の入力端とヒューズ抵抗２２との接続点にＭＯＳトランジスタ２５を介して接続されている。ＭＯＳトランジスタ２４は、ソースが電源ラインＶＤＤに、ドレインがＣＭＯＳ入力回路２１の入力端に、ゲートが接地ラインＧＮＤに接続されている。ＭＯＳトランジスタ２５は、ソースがトリミングパッド２３に、ドレインがＣＭＯＳ入力回路２１の入力端に、バックゲートが電源ラインＶＤＤに接続され、ゲートが制御パッド２６に接続されるとともに抵抗２７を介して電源ラインＶＤＤに接続されている。
【００１２】
ヒューズトリミング回路２０において、トリミングが不必要な場合は、ヒューズ抵抗２２を切断しないので、ＣＭＯＳ入力回路２１の入力端が"Ｌ"レベルに固定される。また、このとき、ＭＯＳトランジスタ２５はオフ制御され、トリミングパッド２３とヒューズ抵抗２２間が電気的に非接続であり、また、ＭＯＳトランジスタ２５の寄生ダイオードＤｉが静電気保護用ダイオードとして機能するため、トリミングパッド２３に静電気が万が一印加されてもヒューズ抵抗２２に静電気が印加されることはない。
【００１３】
ヒューズトリミング回路２０において、トリミングが必要な場合は、制御パッド２６にＭＯＳトランジスタ２５をオン制御するための制御信号（接地レベルＧＮＤ）を供給するとともに、トリミングパッド２３にトリミングのための所定の電圧または電流を供給することによりヒューズ抵抗２２が切断されるので、ＣＭＯＳ入力回路２１の入力端が"Ｈ"レベルに固定される。
【００１４】
以上のように、トリミングパッド２３とヒューズ抵抗２２間に、ＭＯＳトランジスタ２５を挿入接続し、トリミング時に制御パッド２６からの制御信号によりＭＯＳトランジスタ２５をオン制御するようにしたので、トリミング時はトリミングパッド２３とヒューズ抵抗２２間を電気的に接続でき、トリミング時以外は制御パッド２６に制御信号を供給しなければトリミングパッド２３とヒューズ抵抗２２間を電気的に非接続とすることができる。また、ＭＯＳトランジスタ２５の寄生ダイオードＤｉは静電気保護用ダイオードとして機能する。これらにより、静電気によりヒューズ抵抗２２が切断されることを防止できる。
【００１５】
次に、本発明の第２実施形態のヒューズトリミング回路３０について図２を参照して説明する。ヒューズトリミング回路３０は、ＣＭＯＳ入力回路３１と、電圧または電流の印加により切断可能で、非切断の状態でＣＭＯＳ入力回路３１の入力端のレベルを接地レベルＧＮＤにプルダウンするヒューズ抵抗３２と、ヒューズ抵抗３２を切断するための電圧または電流が供給されるトリミングパッド３３と、ヒューズ抵抗３２が切断の状態でＣＭＯＳ入力回路３１の入力端のレベルを電源レベルＶＤＤにプルアップするＰチャネルＭＯＳトランジスタ３４と、トリミングパッド３３とヒューズ抵抗３２間を電気的に接続／非接続するＮチャネルＭＯＳトランジスタ３５と、ＭＯＳトランジスタ３５をオン制御するための制御信号が供給される制御パッド３６と、ＭＯＳトランジスタ３５のゲートを接地レベルＧＮＤにプルダウンする抵抗３７とを有している。
【００１６】
ヒューズ抵抗３２は、ＣＭＯＳ入力回路３１の入力端と接地ラインＧＮＤ間に接続されている。トリミングパッド３３は、ＣＭＯＳ入力回路３１の入力端とヒューズ抵抗３２との接続点にＭＯＳトランジスタ３５を介して接続されている。ＭＯＳトランジスタ３４は、ソースが電源ラインＶＤＤに、ドレインがＣＭＯＳ入力回路３１の入力端に、ゲートが接地ラインＧＮＤに接続されている。ＭＯＳトランジスタ３５は、ドレインがトリミングパッド３３に、ソースがＣＭＯＳ入力回路３１の入力端に、バックゲートが接地ラインＧＮＤに接続され、ゲートが制御パッド３６に接続されるとともに抵抗３７を介して接地ラインＧＮＤに接続されている。
【００１７】
ヒューズトリミング回路３０において、トリミングが不必要な場合は、ヒューズ抵抗３２を切断しないので、ＣＭＯＳ入力回路３１の入力端が"Ｌ"レベルに固定される。また、このとき、ＭＯＳトランジスタ３５はオフ制御され、トリミングパッド３３とヒューズ抵抗３２間が電気的に非接続であり、また、ＭＯＳトランジスタ３５の寄生ダイオードＤｉが静電気保護用ダイオードとして機能するため、トリミングパッド３３に静電気が万が一印加されてもヒューズ抵抗３２に静電気が印加されることはない。
【００１８】
ヒューズトリミング回路３０において、トリミングが必要な場合は、制御パッド３６にＭＯＳトランジスタ３５をオン制御するための制御信号を供給するとともに、トリミングパッド３３にトリミングのための所定の電圧または電流を供給することによりヒューズ抵抗３２が切断されるので、ＣＭＯＳ入力回路３１の入力端が"Ｈ"レベルに固定される。尚、この場合、制御パッド３６に供給する制御信号の電圧は、トリミングパッド３３に供給する電圧より高くする必要がある。
【００１９】
以上のように、トリミングパッド３３とヒューズ抵抗３２間に、ＭＯＳトランジスタ３５を挿入接続し、トリミング時に制御パッド３６からの制御信号によりＭＯＳトランジスタ３５をオン制御するようにしたので、トリミング時はトリミングパッド３３とヒューズ抵抗３２間を電気的に接続でき、トリミング時以外は制御パッド３６に制御信号を供給しなければトリミングパッド３３とヒューズ抵抗３２間を電気的に非接続とすることができる。また、ＭＯＳトランジスタ３５の寄生ダイオードＤｉは静電気保護用ダイオードとして機能する。これらにより、静電気によりヒューズ抵抗３２が切断されることを防止できる。
【図面の簡単な説明】
【００２０】
【図１】本発明の第１実施形態のヒューズトリミング回路２０の回路図。
【図２】本発明の第２実施形態のヒューズトリミング回路３０の回路図。
【図３】従来のヒューズトリミング回路１０の回路図
【符号の説明】
【００２１】
２０，３０  ヒューズトリミング回路
２１、３１  ＣＭＯＳ入力回路
２２，３２  ヒューズ抵抗
２３，３３  トリミングパッド
２４，３４  ＰチャネルＭＯＳトランジスタ
２５  ＰチャネルＭＯＳトランジスタ
３５  ＮチャネルＭＯＳトランジスタ
２６，３６  制御パッド
２７，３７  抵抗
【図１】
2006073553.tif 000003
【図２】
2006073553.tif 000004
【図３】
2006073553.tif 000005